(57)【要約】【課題】被検者の応答の正誤の時系列変化を表示して視力値の決定過程を記録化・正確化する表示装置を備えた視力検査装置を提供する。【解決手段】視力検査装置は、視標を呈示する視標呈示手段と、視標呈示手段が呈示した視標に対する被検者の応答を入力する入力手段と、応答の正誤に基づいて、視力値が異なる新視標を選択する選択手段と、新視標を用いて、視標呈示手段と入力手段と選択手段を繰り返し動作させる繰り返し手段と、複数回の応答の各々の正誤結果を一覧表示する表示手段を備えている。表示手段は、視標呈示手段が呈示した視標の視力値ごとに、正誤結果を呈示順序に従って表示する。【選択図】図９
2018175021.tif 000002
【特許請求の範囲】
【請求項１】
視標を呈示する視標呈示手段と、
前記視標呈示手段が呈示した視標に対する被検者の応答を入力する入力手段と、
前記応答の正誤に基づいて、視力値が異なる新視標を選択する選択手段と、
前記新視標を用いて、前記視標呈示手段と前記入力手段と前記選択手段を繰り返し動作させる繰り返し手段と、
複数回の応答の各々の正誤結果を一覧表示する表示手段を備えており、
前記表示手段は、前記視標呈示手段が呈示した視標の視力値ごとに、前記正誤結果を呈示順序に従って表示することを特徴とする視力検査装置。
【請求項２】
前記表示手段は、視力値を一方の軸とし、呈示順序を他方の軸とするグラフ上に、複数回の前記正誤結果を一覧表示する請求項１に記載の視力検査装置。
【請求項３】
前記グラフ上に、前回呈示時の正誤結果と今回呈示時の正誤結果を接続する接続線を重ね表示する請求項２に記載の視力検査装置。
【請求項４】
前記グラフ上に、各正誤結果に対応する視標を重ね表示する請求項２又は３に記載の視力検査装置。
【発明の詳細な説明】
【技術分野】
【０００１】
本明細書は視力検査装置を開示する。特に、被検者の応答の正誤の時系列変化を表示して視力値の決定過程を記録化・正確化する表示装置を備えた視力検査装置を開示する。
【背景技術】
【０００２】
視標（例えばランドルト環）を呈示する視標呈示手段と、呈示した視標に対する被検者の応答（例えば、切れ目が右又は左といった応答）を入力する入力手段を備えた視力検査装置が知られている。その応答が正しいか又は誤っているかによって、次に呈示する新視標を選択し、視標呈示手段によって新指標を呈示すると共に、入力手段と選択手段を繰り返し動作させる視力検査装置も知られている。この種の視力検査装置では、応答が正しければ高い視力値に対応する指標を選択して呈示し、応答が誤っていれば低い視力値に対する視標を選択して呈示する。
【０００３】
また、視力値の決定過程を支援するために、正誤の結果を一覧表示する表示装置が開発されている。例えば、特許文献1では、視力値を一方の軸とし、同一視力値に属する視標群を他方の軸に沿って配列したグラフ上に、正誤結果を一覧表示する。
【０００４】
また、特許文献２には、実用視力の測定経過を表示する表示装置が開示されている。特許文献２では、測定された通常視力の視力値を表示すると共に、通常視力の視力値に基づいて測定された実用視力の測定経過について、経過時間を一方の軸とし、呈示した視標の視力値を他方の軸に沿って表示する。
【先行技術文献】
【特許文献】
【０００５】
【特許文献１】特開平６−４６９９２号公報
【特許文献２】特開２００３−０８８５０１号公報
【発明の概要】
【発明が解決しようとする課題】
【０００６】
特許文献１の表示装置は、被検者に呈示された視標の視力値ごとに正誤を一覧表示する。このため、検査者は、呈示された視標の視力値ごとの正誤については把握できる一方、複数の視標の呈示順序を把握することができない。例えば、同一の視力値に属する視標について複数回呈示され、その応答結果に正答と誤答が含まれている場合に、検査開始直後に正答であったのか、検査終了前に正答であったのか等の測定の経過を把握することができない。このため、被検眼の視力値やその他の被検眼の状態を正確に把握するために必要な情報を充分に取得することができない。また、特許文献２の表示装置は、決定された視力値の時間変化を表示するものであり、被検眼の視力値の決定に必要な情報を取得することができない。
【０００７】
本明細書は、被検者の応答の正誤の時系列変化を表示して視力値の決定過程を記録化・正確化する視力検査装置を開示する。
【課題を解決するための手段】
【０００８】
本明細書に開示する視力検査装置は、視標を呈示する視標呈示手段と、視標呈示手段が呈示した視標に対する被検者の応答を入力する入力手段と、応答の正誤に基づいて、視力値が異なる新視標を選択する選択手段と、新視標を用いて、視標呈示手段と入力手段と選択手段を繰り返し動作させる繰り返し手段と、複数回の応答の各々の正誤結果を一覧表示する表示手段を備えている。表示手段は、視標呈示手段が呈示した視標の視力値ごとに、正誤結果を呈示順序に従って表示する。
【０００９】
上記の視力検査装置は、被検者に呈示した視標に対する応答の各々の正誤結果を、視標の視力値ごとに呈示順序に従って表示する。このため、視力値ごとの視標呈示回数や、視力値ごとの正誤の割合を視覚的に把握しやすい。さらに、視力値ごとの応答の正誤結果が、視標の呈示順序に従って表示される。このため、視力値ごとの応答の正誤の順序を視覚的に容易に把握することができ、被検眼の視力値や状態を容易かつ正確に評価することができる。
【図面の簡単な説明】
【００１０】
【図１】実施例に係る視力検査装置の構成を示すブロック図。
【図２】実施例に係る視力検査装置が被検眼の視力値を測定する処理の一例を示すフローチャート。
【図３】タッチパネルに表示される表示画面の一例を示す図であって、開始視力値入力欄に最初の視標の視力値を入力した状態を示す。
【図４】タッチパネルに表示される表示画面の一例を示す図であって、最初の視標に対する応答待機状態であることを表示した状態を示す。
【図５】タッチパネルに表示される表示画面の一例を示す図であって、最初の視標に対する応答結果（正答）を表示した状態を示す。
【図６】タッチパネルに表示される表示画面の一例を示す図であって、最初の視標に対する応答結果と共に、２回目に呈示される視標に対する応答待機状態であることを表示した状態を示す。
【図７】タッチパネルに表示される表示画面の一例を示す図であって、先に呈示された視標に対する応答結果と共に、３回目に呈示される視標に対する応答待機状態であることを表示した状態を示す。
【図８】タッチパネルに表示される表示画面の一例を示す図であって、先に呈示された視標に対する応答結果と共に、４回目に呈示される視標に対する応答待機状態であることを表示した状態を示す。
【図９】タッチパネルに表示される表示画面の一例を示す図であって、検査が終了した状態を示す。
【図１０】タッチパネルに表示される表示画面の他の一例を示す図であって、応答の正誤と共に呈示された視標及び視力値ごとの正答率を表示した状態を示す。
【発明を実施するための形態】
【００１１】
以下に説明する実施例の主要な特徴を列記しておく。なお、以下に記載する技術要素は、それぞれ独立した技術要素であって、単独であるいは各種の組合せによって技術的有用性を発揮するものであり、出願時請求項記載の組合せに限定されるものではない。
【００１２】
（特徴１）本明細書が開示する視力検査装置では、表示手段は、視力値を一方の軸とし、呈示順序を他方の軸とするグラフ上に、複数回の正誤結果を一覧表示してもよい。このような構成によると、視力値ごとの正誤結果をより視覚的に容易に把握することができる。
【００１３】
（特徴２）本明細書が開示する視力検査装置では、グラフ上に、前回呈示時の正誤結果と今回呈示時の正誤結果を接続する接続線を重ね表示してもよい。このような構成によると、視力値ごとの視標の呈示順序だけでなく、複数回の正誤結果全体について、視標の呈示順序を容易に把握することができる。このため、視力検査の経過をより容易に把握することができる。なお、前回呈示時の正誤結果と今回呈示時の正誤結果を接続する接続線に代わり、各正誤結果に対応する呈示順序を数字で重ね表示してもよい。また、表示された１つの正誤結果を選択することによって、その正誤結果の前後に応答された正誤結果が把握できるように表示してもよい。
【００１４】
（特徴３）本明細書が開示する視力検査装置では、グラフ上に、各正誤結果に対応する視標を重ね表示してもよい。このような構成によると、各正誤結果と視標の種類との関係を視覚的に把握することができる。このため、例えば、被検眼の見えにくい方向を把握することができ、被検眼について視力値以外の他の状態を評価することができる。なお、各正誤結果は、グラフ上に検査回ごとに四角い枠で表示してもよく、視標はその四角い枠内に重ね表示してもよい。
【実施例】
【００１５】
以下、本実施例に係る視力検査装置１０について説明する。図１に示すように、視力検査装置１０は、視標呈示部１２と、タッチパネル１４と、制御部１６を備えている。
【００１６】
視標呈示部１２は、モニタ（図示省略）を備えており、モニタを被検者に見せることで被検者に対して視標を呈示する。視力測定時には、モニタに表示される視標が被検眼から所定の距離となる位置に、視標呈示部１２を配置する。視標呈示部１２が呈示する視標としては、ランドルト環が用いられ、呈示されるランドルト環の切れ目方向は、４方向となっている。なお、視標呈示部１２の構成については、上記の構成に限定されるものではなく、公知の視力検査装置に用いられているものを用いることができる。例えば、視標呈示部は、筐体内に視標が表示されるように構成されていてもよい。この場合には、視標呈示部は、筐体に設けられる検査窓から被検者（すなわち、被検眼）に対して視標を呈示する。また、本実施例では、視標としてランドルト環が用いられているが、視標呈示部１２が呈示する視標の種類は、特に限定されるものではない。例えば、Ｅチャートやスネレン視標等を用いてもよく、公知の視力検査装置に用いられているものを用いることができる。なお、視標呈示部１２は、「視標呈示手段」の一例である。
【００１７】
タッチパネル１４は、呈示される各視標に対する被検者の応答結果や、視力検査に関する各種の情報を検査者に提供する表示装置であると共に、検査者からの指示や情報を受け付ける入力装置である。図３は、タッチパネル１４に表示される表示画面の一例を示している。図３に示すように、タッチパネル１４には、呈示視標表示欄３２と、開始ボタン３４と、終了ボタン３６と、開始視力値入力欄３８と、決定視力値表示欄４０と、応答結果入力ボタン４２と、グラフ欄４４が表示される。
【００１８】
呈示視標表示欄３２には、視標呈示部１２に呈示されている視標の種類（すなわち、所定の方向（例えば、４方向）のいずれかに切れ目があるランドルト環）とその視力値が表示される。視標呈示部１２に呈示される視標が変更されると、呈示視標表示欄３２には変更された視標の種類とその視力値が表示される。
【００１９】
開始ボタン３４を押すと検査が開始され、後述するように、視力検査装置１０は、設定された検査終了条件を満たすと検査を終了する。終了ボタン３６を押すことによって、検査終了条件を満たす前に検査を終了することができる。
【００２０】
開始視力値入力欄３８は、開始ボタン３４と隣接する位置（図３では、開始ボタン３４の右側）に配置されている。開始視力値入力欄３８に検査開始時の視力値を入力することによって、最初に呈示する視標の視力値が指示される。開始視力値入力欄３８に入力された視力値は、後述する制御部１６の記憶部１８に記憶される。決定視力値表示欄４０は、終了ボタン３６と隣接する位置（図３では、終了ボタン３６の右側）に配置されている。決定視力値表示欄４０には、検査によって決定される被検眼の視力値が表示される。
【００２１】
応答結果入力ボタン４２には、正答ボタン（図３では、左側に配置される「○」で示されるボタン）と、誤答ボタン（図３では、右側に配置される「×」で示されるボタン）が配置されている。被検者の応答が正答である場合、検査者は正答ボタンを押し、被検者の応答が誤答である場合、検査者は誤答ボタンを押す。応答結果入力ボタン４２によって入力された応答結果は、呈示された視標の種類（すなわち、ランドルト環の切れ目方向）及びその視力値と共に、記憶部１８に記憶される。
【００２２】
グラフ欄４４には、被検者の応答結果が棒グラフによって表示される。グラフの横軸は視力値となっており、縦軸は視標が呈示された回数となっている。グラフ欄４４には、１回の視標の呈示ごとに所定の大きさの四角（以下、「ボックス」ともいう）を表示し、視力値ごとの応答結果が呈示順に積み上げられて表示される。例えば、視標が呈示されてから被検者の応答結果が入力されるまでの間（以下、「応答待機状態」ともいう）は、呈示された視標の視力値に、ボックスが白色で表示される。そして、被検者の応答が正答であることが入力された場合には、ボックスが白色から緑色に変更され、誤答であることが入力された場合には、ボックスが白色から赤色に変更される。このように、グラフ欄４４には、応答待機状態と、正答と、誤答が区別して表示される。なお、グラフ欄４４には、応答待機状態と、正答と、誤答が区別されて表示されればよく、表示態様については限定されない。本明細書では、図４〜図１０に示すように、応答待機状態を示す場合にはボックスを白色で図示し、正答を示す場合にはボックスを濃淡の薄いドット（以下、薄いドットともいう）で図示し、誤答を示す場合にはボックスを濃淡の濃いドット（以下、濃いドットともいう）で図示する。
【００２３】
なお、本実施例の視力検査装置１０はタッチパネル１４を備えているが、このような構成に限定されない。応答結果等の表示と入力が可能な構成であればよく、例えば、モニタと入力装置（例えば、マウスやキーボード等）を備えていてもよい。また、本実施例では、被検者の応答については正誤のみを入力しているが、このような構成に限定されない。被検者の応答の正誤を検出可能な構成であればよく、例えば、被検者の回答を入力してもよい。この場合には、入力された回答と正答が一致するか否かを判定することによって、応答の正誤を検出することができる。被検者の回答を入力する例としては、例えば、ジョイスティックを用いてランドルト環の切れ目方向を入力する方法を挙げることができる。また、被検者の回答を入力する場合には、検査者を介することなく、被検者自身が入力してもよい。なお、タッチパネル１４は、「入力手段」及び「表示手段」の一例である。
【００２４】
制御部１６は、例えば、ＣＰＵ，ＲＯＭ，ＲＡＭ等を備えたコンピュータによって構成することができる。制御部１６には、記憶部１８と、視標選択部２０が設けられている。記憶部１８には、例えば、開始視力値入力欄３８に入力された視力値と、呈示された視標とそれに対応する被検者の応答結果と、検査によって決定された被検眼の視力値等が記憶される。また、呈示された視標とそれに対応する被検者の応答結果については、呈示された順序に従い時系列に沿って記憶部１８に記憶される。また、記憶部１８には、検査終了条件が記憶されている。検査終了条件は、同一の視力値の視標についての誤答率や、同一の視力値の視標において連続して誤答した回数等に基づいて設定することができる。検査終了条件は、タッチパネル１４から入力することによって変更することができる。
【００２５】
また、制御部１６は、コンピュータがプログラムを実行することで、視標選択部２０として機能する。視標選択部２０は、記憶部１８に記憶される、開始視力値入力欄３８に入力された視力値や、呈示された視標とそれに対応する被検者の応答結果等の情報に基づいて、視標呈示部１２に呈示する視標を選択する。具体的には、視標選択部２０は、開始視力値入力欄３８に入力された視力値から、最初に呈示する視標を選択する。このとき選択される視標は、視力値については入力された視力値であり、ランドルト環の切れ目方向についてはランダムに選択される。また、視標選択部２０は、２回目以降に呈示される視標を、その直前に呈示された視標に対する被検者の応答の正誤に基づいて選択する。例えば、呈示された視標に対する被検者の応答が正答であった場合、その視標の視力値より高い視力値の視標を選択し、呈示された視標に対する被検者の応答が誤答であった場合、その視標の視力値より低い視力値の視標を選択する。いずれの場合も、ランドルト環の切れ目方向はランダムに選択される。なお、視標選択部２０は、「選択手段」の一例である。
【００２６】
図２〜図８を参照して、視力検査装置１０が被検眼の視力値を測定する処理について説明する。図２は、視力検査装置１０が被検眼の視力値を測定する処理の一例を示すフローチャートである。図２に示すように、まず、制御部１６は、視標呈示部１２に最初の視標を呈示させる（Ｓ１２）。最初の視標の呈示は、以下の手順で行われる。まず、検査者は、最初に呈示する視標の視力値を開始視力値入力欄３８に入力する。例えば、図３に示すように、検査者は開始視力値入力欄３８に「０．０３」と入力する。開始視力値入力欄３８に入力された視力値は、記憶部１８に記憶される。次に、検査者は、開始ボタン３４を押す。すると、制御部１６は、開始視力値入力欄３８に入力された視力値の視標を視標呈示部１２に呈示する。すなわち、視標呈示部１２には、視力値が０．０３である視標が呈示される。
【００２７】
視標呈示部１２に視標が呈示されると、制御部１６は、最初の視標に対する応答待機状態であることを示す表示をグラフ欄４４に表示する（Ｓ１４）。図４に示すように、制御部１６は、グラフ欄４４の「０．０３」に応答待機状態を示す白色のボックスを表示させる。また、制御部１６は、視標呈示部１２が呈示している視標の種類とその視力値を、呈示視標表示欄３２に表示する。図４では、呈示視標表示欄３２に切れ目方向が左のランドルト環と、その視力値である「０．０３」が表示される。
【００２８】
次に、制御部１６は、最初に呈示された視標に対する被検者の応答を記憶部１８に記憶させる（Ｓ１６）。被検者の応答は、以下の手順で記憶される。視標呈示部１２に視標が呈示されると、被検者は呈示された視標に対して応答する。そして、検査者は、被検者の応答が正答であった場合には応答結果入力ボタン４２の正答ボタンを押し、誤答であった場合には誤答ボタンを押す。制御部１６は、検査者によって入力された応答結果を記憶部１８に記憶させる。
【００２９】
次に、制御部１６は、グラフ欄４４に応答結果を表示する（Ｓ１８）。制御部１６は、記憶部１８に記憶された最初の視標に対する応答の正誤に基づいて、グラフ欄４４の応答待機状態を示す表示を、正答又は誤答を示す表示に変更する。例えば、最初の視標に対する被検者の応答が正答であった場合、図５に示すように、「０．０３」に表示される白色のボックスを薄いドットで示すボックスに変更する。
【００３０】
次に、制御部１６の視標選択部２０は、記憶部１８に記憶された最初の視標に対する応答の正誤に基づいて、次に呈示する視標（以下、新指標ともいう）を選択する（Ｓ２０）。ステップＳ１６で記憶部１８に記憶された最初の視標に対する被検者の応答が正答であった場合、視標選択部２０は、最初の視標より視力値の高い視標を選択する。一方、ステップＳ１６で記憶部１８に記憶された最初の視標に対する被検者の応答が誤答であった場合、視標選択部２０は、最初の視標より視力値の低い視標を選択する。図５では、最初に呈示された視標に対する被検者の応答が正答であったため、視標選択部２０は、０．０３より高い視力値である０．０４の視標を選択する。そして、制御部１６は、ステップＳ２０で選択された新視標を視標呈示部１２に呈示させる（Ｓ２２）。
【００３１】
視標呈示部１２に新視標が呈示されると、制御部１６は、新視標に対する応答待機状態であることを示す表示と共に、前回の応答結果（すなわち、最初の視標に対する応答結果）を示す表示と新指標の応答待機状態を示す表示を接続する接続線をグラフ欄４４に表示する（Ｓ２４）。図６に示すように、制御部１６は、グラフ欄４４の「０．０４」に応答待機状態を示す白色のボックスを表示する。また、制御部１６は、「０．０３」に表示される薄いドットで示すボックス（最初の視標に対する応答結果を示す表示）と、「０．０４」に表示される白色のボックスを接続する接続線４５をグラフ欄４４に表示する。さらに、制御部１６は、視標呈示部１２が呈示している視標の種類とその視力値を、呈示視標表示欄３２に表示する。図６では、呈示視標表示欄３２に切れ目方向が右のランドルト環と、その視力値である「０．０４」が表示される。
【００３２】
次に、制御部１６は、新指標に対する被検者の応答を記憶部１８に記憶させる（Ｓ２６）。なお、ステップＳ２６の処理は、ステップＳ１６の処理と同様であるため、詳細な説明は省略する。そして、制御部１６は、グラフ欄４４に新指標に対する被検者の応答結果を表示する（Ｓ２８）。制御部１６は、記憶部１８に記憶された新視標に対する応答の正誤に基づいて、グラフ欄４４の応答待機状態を示す表示を、正答又は誤答を示す表示に変更する。例えば、新視標に対する被検者の応答が正答であった場合、「０．０４」に表示される白色のボックスを薄いドットで示すボックスに変更する（図７参照）。
【００３３】
次に、制御部１６は、検査開始から複数回呈示された視標に対する被検者の応答結果が、検査終了条件に該当するか否かを判定する（Ｓ３０）。検査終了条件は、記憶部１８に予め記憶されている。被検者の応答結果が検査終了条件に該当しない場合（ステップＳ３０でＮＯの場合）には、ステップＳ２０に戻り、ステップＳ２０〜ステップＳ３０の処理を繰り返す。一方、被検者の応答結果が検査終了条件に該当する場合（ステップＳ３０でＹＥＳの場合）には、制御部１６は、決定視力値表示欄４０に被検眼の視力値を表示し、視力値の測定を終了する。
【００３４】
図６〜図８を参照して、ステップＳ２０〜ステップＳ３０を繰り返す処理について具体的に説明する。ここでは、検査終了条件を、「同一の視力値について４回以上応答し、かつ、誤答率が６０％以上となった場合」とする。
【００３５】
２回目に呈示された視標（すなわち、最初の視標に対する応答結果に基づいて、次に呈示される視標）に対する応答が正答であった場合、ステップＳ３０において、制御部１６は上記の検査終了条件に該当するか否かを判定する。ここでは、同一の視力値について４回以上応答していないため（図６参照）、制御部１６は上記の検査終了条件に該当しないと判定する。そして、ステップＳ２０に戻り、視標選択部２０は新指標（３回目に呈示する視標）を選択する。このとき、２回目に呈示された視標に対する被検者の応答が正答であったため、視標選択部２０は０．０４より高い視力値である０．０５の視標を選択し、制御部１６は視標呈示部１２に新指標を呈示させる。そして、図７に示すように、制御部１６は、グラフ欄４４の「０．０５」に応答待機状態を示す白色のボックスを表示すると共に、「０．０４」に表示される薄いドットで示すボックスと、「０．０５」に表示される白色のボックスを接続する接続線４６を表示する。
【００３６】
３回目に呈示する視標に対して被検者が応答し、その応答が誤答であると、制御部１６は、図７の白色のボックスを濃いドットで示すボックスに変更する（図８参照）。そして、再びステップＳ３０に進み、制御部１６は上記の検査終了条件に該当するか否かを判定する。ここでは、同一の視力値について４回以上応答していないため（図７参照）、制御部１６は上記の検査終了条件に該当しないと判定する。そして、再びステップＳ２０に戻り、視標選択部２０は新指標（４回目に呈示する視標）を選択する。３回目に呈示された視標に対する被検者の応答は誤答であったため、視標選択部２０は０．０５より低い視力値である０．０４の視標を選択し、制御部１６は視標呈示部１２に新指標を呈示させる。そして、図８に示すように、制御部１６は、グラフ欄４４の「０．０４」に応答待機状態を示す白色のボックスを、先の応答結果を示す薄いドットで示すボックス（２回目に呈示された視標に対する応答結果）の上に積み上げて表示する。加えて、「０．０５」に表示される濃いドットで示すボックスと、「０．０４」に積み上げて表示される白色のボックスを接続する接続線４７を表示させる。このようにして、ステップＳ２０〜ステップＳ３０の処理を、上記の検査終了条件に該当するまで繰り返す。なお、制御部１６は、「繰り返し手段」の一例である。
【００３７】
図９は、検査が終了した状態の表示画面の一例である。図９では、グラフ欄４４の「０．０５」に５回分の応答結果が表示されており、その誤答率が６０％となっている。したがって、「同一の視力値について４回以上応答し、かつ、誤答率が６０％以上」となったため、制御部１６は、決定視力値表示欄４０に「０．０４」と表示し、検査を終了している。図９に示すように、グラフ欄４４には、複数回分（詳細には、１３回分）の応答の正誤が視力値ごとに一覧表示されている。このため、複数回の応答結果について、呈示された視標の視力値ごとに、応答回数とその正誤を容易に把握することができる。また、グラフ欄４４には、複数回分の応答の正誤が表示されていると共に、各応答結果とその直前の応答結果が接続線によって接続されている。このため、各応答についての正誤とその呈示の順序を視覚的に容易に把握することができる。このため、例えば、同じ視力値の視標を呈示した場合であっても、検査の前半で誤答率が高いのか、検査の後半で誤答率が高いのか等の検査の経過を視覚的に把握し易くすることができる。また、視力値ごとの応答回数が多い場合（棒グラフの高さが高い場合）や、呈示される視標の視力値の幅が大きい場合（グラフの横の広がりが大きい場合）には、検査中の被検眼の視力が不安定であったことが把握できる。このように、視力値ごとの応答の正誤と共に、その呈示の順序を一覧表示することによって、被検眼の視力だけでなく、被検眼の状態を評価することができる。このため、視力検査装置１０による被検眼の視力検査結果を、被検眼の状態や病状を評価する一次診断に用いることができる。また、表示画面から視標の呈示順序を把握できることによって、検査後に被検眼の視力値や状態を評価することができる。このため、検査者が同席することなく、被検者自身が応答の回答を入力した場合であっても、検査終了後に検査者が被検眼の状態を正確に評価することができる。なお、本実施例の上記の検査終了条件は一例であり、被検眼の病状や状態等に合わせて条件を設定することができる。
【００３８】
なお、本実施例では、タッチパネル１４に、呈示された視標に対する応答の正誤と、呈示順序を示す接続線を表示したが、このような構成に限定されない。例えば、図１０に示すように、タッチパネル１４には、呈示された視標に対する応答の正誤と、呈示順序を示す接続線と共に、呈示された視標の種類を表示してもよい。すなわち、グラフ欄４４には、各応答結果と共に、その応答結果に対応する視標を応答結果に重ねて表示してもよい。このように表示することによって、視力値ごとの応答の正誤と共に、呈示された視標の種類（すなわち、ランドルト環の切れ目方向）を把握することできる。このため、例えば、同一の視力値の視標のうち、どの種類の視標（すなわち、どの切れ目方向のランドルト環）で誤答が多いのか等を把握することでき、被検眼の視力値だけでなく、例えば、乱視等の他の病状や状態を評価することができる。このため、一次診断の精度を向上させることができる。また、グラフ欄４４には、視力値ごとのグラフと共に、その視力値の正答率（又は誤答率）を重ねて表示してもよい。このように表示することによって、視力値ごとの正答率（又は誤答率）をより容易に把握することができ、特に、視力値ごとの応答回数が多い場合（棒グラフの高さが高い場合）に、視力値ごとの正答率（又は誤答率）をより容易に把握することができる。
【００３９】
なお、本実施例の視力検査装置１０では、視標呈示部１２に呈示されるランドルト環の切れ目方向は４方向であるが、このような構成に限定されない。例えば、視標呈示部１２に呈示されるランドルト環の切れ目方向は、８方向であってもよいし、４方向と８方向を切り換え可能に構成されていてもよい。４方向と８方向を切り換え可能に構成されている場合には、被検眼の状態に合わせて、４方向と８方向を切り換えることができる。例えば、検査開始時には４方向とし、被検眼の視力が安定していると判断される場合に８方向に切り換えでもよいし、検査開始時には８方向とし、被検眼の視力が不安定であると判断される場合に４方向に切り換えでもよい。また、本実施例の視力検査装置１０は、各視標に対する応答結果をタッチパネル１４から入力しているが、このような構成に限定されない。例えば、各視標に対する応答結果を入力する入力装置は、音声認識によって入力するものであってもよい。
【００４０】
また、本実施例では、各応答結果とその直前の応答結果を接続線によって接続しているが、このような構成に限定されない。各応答結果に対応する呈示順序が視覚的に把握可能に表示されればよく、例えば、各応答結果に重ねて呈示順序を数字で表示してもよい。あるいは、グラフ欄４４には接続線又は数字が表示されなくてもよい。グラフ欄４４には、視力値ごとの応答結果が呈示順序に従って表示されるため、接続線が表示されなくても視標の呈示順序を把握することができる。また、接続線又は呈示順序を示す数字、呈示された視標の種類、正答率や誤答率を示す表示等の各応答結果に重ねて表示する表示（重ね表示）は、表示と非表示を切り換え可能であってもよい。例えば、タッチパネル１４に切り換えボタンを設けることによって、上記の重ね表示を表示したり非表示にしたりできるようにしてもよい。また、一覧表示される複数の応答結果の中から１つを選択する（例えば、クリックする）ことによって、選択された応答結果に対応する重ね表示を表示してもよい。
【００４１】
以上、本明細書に開示の技術の具体例を詳細に説明したが、これらは例示にすぎず、特許請求の範囲を限定するものではない。特許請求の範囲に記載の技術には、以上に例示した具体例を様々に変形、変更したものが含まれる。また、本明細書又は図面に説明した技術要素は、単独であるいは各種の組合せによって技術的有用性を発揮するものであり、出願時請求項記載の組合せに限定されるものではない。
【符号の説明】
【００４２】
１０：視力検査装置
１２：視標呈示部
１４：タッチパネル
１６：制御部
１８：記憶部
２０：視標選択部
４４：グラフ欄４４
４５、４６、４７：接続線
【図１】
2018175021.tif 000003
【図２】
2018175021.tif 000004
【図３】
2018175021.tif 000005
【図４】
2018175021.tif 000006
【図５】
2018175021.tif 000007
【図６】
2018175021.tif 000008
【図７】
2018175021.tif 000009
【図８】
2018175021.tif 000010
【図９】
2018175021.tif 000011
【図１０】
2018175021.tif 000012